(57)【特許請求の範囲】
【請求項１】
無線通信システムにおける移動装置がカウンティングレスポンスメッセージを送信する方法であって、
前記無線通信システムにおける第１の基地局から第１のカウンティングリクエストメッセージを受信するステップと、
前記無線通信システムにおける第２の基地局へのハンドオーバ又は該第２の基地局との再確立に起因して、第１のカウンティングレスポンスメッセージを前記第１の基地局に適切に送信できなかった場合において、前記ハンドオーバ又は前記再確立が完了した後であって前記第２の基地局から第２のカウンティングリクエストメッセージを受信した場合に、第２のカウンティングレスポンスメッセージを前記第２の基地局に送信するステップと
を有する方法。
【請求項２】
前記第２の基地局が前記第１の基地局と同一であった場合、前記第２の基地局へのハンドオーバ又は該第２の基地局との再確立の後に、第３のカウンティングレスポンスメッセージを前記第２の基地局に送信するステップを更に有する請求項１記載の方法。
【請求項３】
前記第３のカウンティングレスポンスメッセージが前記第１のカウンティングレスポンスメッセージと同一である、請求項２記載の方法。
【発明の詳細な説明】
【技術分野】
【０００１】
本発明は無線通信システム及び関連する通信装置の技術分野に関連し、特に、無線通信システムにおけるカウンティングレスポンス(CountingResponse)メッセージを送信及び処理する方法及び関連する通信装置に関連する。
【背景技術】
【０００２】
3G移動通信システムのマルチメディアパフォーマンスを強化するため、第3世代パートナーシッププロジェクト(3GPP)はマルチメディアブロードキャストマルチキャストサービス(MBMS)を導入し、これはロングタームエボリューション(LTE)システムで行われる1対多のベアラサービスである。MBMSは、1つのソース端末が、複数のユーザ装置(UE)にデータを同時に送信できるようにする。
【０００３】
MBMSはMBMS通信に関する単一周波数ネットワーク(SFN)処理(すなわち、MBMSシングル周波数ネットワーク(MBSFN))を使用し、通信の最中にセル間を移動することに起因するサービスの劣化(中断等)を軽減する。MBSFNの場合、1つの周波数が複数のセルによって使用され、同じ時間に同期した通信を実行する。全ての基地局(eNodeB)が同期することが可能なネットワークのエリア又は領域は、MBSFN通信を実行することができる。複数のMBSFN同期エリアは、1つ以上のMBSFNエリアをサポート又は使用することができる。MBSFNエリアはネットワークのMBSFN同期エリア内の一群のセルから構成され、その一群のセルはMBSFN通信を行うように連携している。MBSFNエリア内の複数のセルによるMBSFN送信は、UEにとっては単独の送信であるように見える。
【０００４】
1対多(p-t-m)のダウンリンク通信をサポートするために、マルチキャストコントロールチャネル(MCCH)及びマルチキャストトラフィックチャネル(MTCH)という2つの論理チャネルがMBMSにおいて規定されている。MCCHは、MBSFNエリア内の全てのMBSFNサービスに関する制御メッセージを送信するために使用され、MTCHはMBMSサービスのセッションデータを送信するために使用される。セッションデータはMBMSサービスのコンテンツに関連する。MCCH及びMTCHは双方共に、MBMSで新たに規定されている通信チャネル(すなわち、マルチキャストチャネル(MCH))にマッピングされる、対応付けられる又は関連付けられる。
【０００５】
更に、RRC_CONNECTEDモードで動作しているUEの数を数える計数処理がネットワークにより行われ、そのUEはMBMSサービスにおいて受信を行っている又は対象となっているUEである。すなわち、MBMSサービスに関するカウンティングリクエストメッセージ(CountingRequest  message)をMCCHで送信することで、ネットワークは計数処理を開始する。セキュリティはUE固有であり、MCCHで送信されるカウンティングリクエストメッセージは特定のUEに限定されないので、ネットワークは、(例えば、カウンティングリクエストメッセージを暗号化したり、或いはカウンティングリクエストメッセージの完全性の保護(integrity  protection)を確保することによる)カウンティングリクエストメッセージを保護するセキュリティ処理を、アクティブに(起動、活性化)することができない。言い換えれば、ネットワークはカウンティングリクエストメッセージをブロードキャストする。カウンティングリクエストメッセージを受信すると、MBMSサービスで受信を行っている又は対象となっているRRC_CONNECTEDモードのUEは、カウンティングレスポンスメッセージ(CountingResponse  message)をネットワークに返す。カウンティングレスポンスメッセージは個別制御チャネル(DCCH)で送信される。そして、MBMSサービスを提供する際、指定されたMBMSサービスを受信している又は対象となっているUE数が所定数より大きいか否かに従って、ネットワークは、MBMSサービスを受信している又は対象となっているUE宛にMBMSサービス(信号)をブロードキャストするか又はユニキャストするかを決定することができる。RRCの上位レイヤとやりとりを行うことで、UEは(テンポラリ移動グループ識別子(TMGI)により識別される)MBMSサービスに関心があることを確認する。
【発明の概要】
【発明が解決しようとする課題】
【０００６】
しかしながら、従来技術において、UEがカウンティングレスポンスメッセージをネットワークに送信する時点は規定されていない。例えば、UEは、ネットワークがセキュリティ処理をアクティブにする前にカウンティングレスポンスメッセージを送信するかもしれない。悪意のUE(malicious  UE)がカウンティングレスポンスメッセージを送信するとMBMSカウンティング処理を行うネットワークを混乱させ、ネットワークはMBMSサービスを提供するための無線リソースを不適切に構築してしまう。例えば、カウンティングレスポンスメッセージ及びUEを認証するたえのセキュリティはアクティブにされていないので、悪意のUEはネットワークの判断を誤らせ、指定されたMBMSサービスを受信している又は対象となっているUEが実際よりも多く存在するという誤った判断がなされ、ネットワークは、指定されたMBMSサービスをUEに経済的にユニキャストするのではなく、指定されたMBMSサービスをUEにブロードキャストしてしまうかもしれない。このように計数処理が不適切に実行され、無線リソースが非経済的に使用されてしまうおそれがある。
【０００７】
一方、UEはカウンティングレスポンスメッセージをRRCプロシジャの最中に送信するかもしれない。例えば、RRCコネクション設定(RRCConnectionSetup)メッセージを受信した後であってRRCコネクション設定完了(RRCConnectionSetupComplete)メッセージを送信する前に、UEはカウンティングレスポンスメッセージを送信するかもしれない；RRCコネクション再構築(RRCConnectionReconfiguration)メッセージを受信した後であってRRCコネクション再構築完了(RRCConnectionReconfigurationComplete)メッセージを送信する前に、UEはカウンティングレスポンスメッセージを送信するかもしれない；RRCコネクション再確立(RRCConnectionReestablishment)メッセージを受信した後であってRRCコネクション再確立完了(RRCConnectionReestablishmentComplete)メッセージを送信する前に、UEはカウンティングレスポンスメッセージを送信するかもしれない。このような状況の場合、ネットワークは、進行中のRRCプロシジャの最中にカウンティングレスポンスメッセージを処理することができない。なぜなら、進行中のRRCプロシジャに関する完了メッセージを受信することなしに、ネットワークは、UEがその進行中のRRCプロシジャを完了するか否か(すなわち、UEのステータス)を判断できないからである。従って計数処理が適切に実行されないおそれがある。
【０００８】
他方、UEがカウンティングリクエストメッセージを受信した場合、UEは通常カウンティングレスポンスメッセージをeNBに送信する。この場合において、UEが第1のeNBからカウンティングリクエストメッセージを受信し、第2のeNBにカウンティングリクエストメッセージを送信し、その第2のeNBは、ハンドオーバに起因して又は第2のeNBとのRRCコネクションの再確立に起因して、MBMSサービスを継続的に提供しないかもしれない。すなわちこの場合、UEは第1のeNBにカウンティングリクエストメッセージを送信する前に、ハンドオーバ又はRRCコネクション再確立に起因してUEが第2のeNBのエリアに移動し、UEは第2のeNBにカウンティングレスポンスメッセージを送信することになる。カウンティングレスポンスメッセージは、第2のeNBのシステムを混乱させる又は誤った処理を行わせてしまうかもしれない(例えば、UEのRRCコネクションをリリース又は解放してしまうかもしれない)。従って計数処理が適切に実行されないおそれがある。
【０００９】
本発明の課題はネットワークが計数処理を適切に実行できるようにすることである。
【課題を解決するための手段】
【００１０】
本発明の実施例による方法は、
無線通信システムにおける移動装置がカウンティングレスポンスメッセージを送信する方法であって、
前記無線通信システムにおける第１の基地局から第１のカウンティングリクエストメッセージを受信するステップと、
前記無線通信システムにおける第２の基地局へのハンドオーバ又は該第２の基地局との再確立に起因して、第１のカウンティングレスポンスメッセージを前記第１の基地局に適切に送信できなかった場合において、前記ハンドオーバ又は前記再確立が完了した後であって前記第２の基地局から第２のカウンティングリクエストメッセージを受信した場合に、第２のカウンティングレスポンスメッセージを前記第２の基地局に送信するステップと
を有する方法である。
【図面の簡単な説明】
【００１１】
【図１】無線通信システムの一例を示す概略図。
【図２】例示的な通信装置の概略図。
【図３】図2に示すプログラムコードの詳細を示す図。
【図４】本発明の一実施例による動作例を示すフローチャート。
【図５】本発明の一実施例による動作例を示すフローチャート。
【図６】本発明の一実施例による動作例を示すフローチャート。
【発明を実施するための形態】
【００１２】
本願により開示される発明は、カウンティングレスポンスメッセージを送信及び処理する方法及び関連する通信装置を提供する。
【００１３】
無線通信システムにおける移動装置がカウンティングレスポンスメッセージを送信する方法が開示される。本方法は、カウンティングリクエストメッセージをネットワークから受信し、前記無線通信システムにおける前記移動装置及び前記ネットワークの間のセキュリティ処理をアクティブにし、カウンティングレスポンスメッセージを前記ネットワークに送信するステップを有する方法である。
【００１４】
無線通信システムにおけるネットワークがカウンティングレスポンスメッセージを処理する方法が開示される。本方法は、前記無線通信システムにおいてカウンティングレスポンスメッセージを移動装置から受信し、移動装置に関するセキュリティ処理をアクティブにしていなかった場合、カウンティングレスポンスメッセージを無視するステップを有する方法である。
【００１５】
無線通信システムにおける移動装置がカウンティングレスポンスメッセージを送信する方法が開示される。本方法は、前記無線通信システムにおける第1のネットワークから第1のカウンティングリクエストメッセージを受信し、前記無線通信システムにおける第2のネットワークへのハンドオーバ又は該第2のネットワークとの再確立に起因して、第1のカウンティングレスポンスメッセージを前記第1のネットワークに成功裏に送信できなかった場合において、前記第2のネットワークから第2のカウンティングリクエストメッセージを受信した場合に、第2のカウンティングレスポンスメッセージを前記第2のネットワークに送信するステップを有する方法である。
【００１６】
様々な図面と共に説明されている好適実施例に関する以下の詳細な説明を理解することで、本発明に関する上記及びその他の対象は当業者にとって更に明らかになるであろう。
【００１７】
［具体的な説明］
図1を参照するに、図1は例示的な無線通信システム10の概略図を示す。無線通信システム10は、LTEアドバンスト方式のシステム又はその他の通信システム(例えば、LTE、WCDMA、HSPA、GSM（登録商標）、EDGE等)とすることが可能である。無線通信システム10は、概して、ネットワークと複数のユーザ装置(UE)とを有し、図1に示されている構造を形成する。LTEアドバンスト方式のシステムの場合、ネットワークは、複数のエボルブド基地局(eNB)を有するエボルブドユニバーサル無線アクセスネットワーク(E-UTRAN)と言及されてもよい。UEは、移動電話、コンピュータシステム等のような装置とすることが可能である。また、ネットワーク及びUEは通信方向に従って送信機又は受信機と考えることが可能であり、例えば、アップリンク又は上りリンク(UL)の場合、UEは送信機でありネットワークは受信機であり、ダウンリンク又は下りリンク(DL)の場合、ネットワークが送信機でありUEが受信機である。
【００１８】
図2を参照するに、図2は例示的な通信装置20の概略図を示す。通信装置20は図1に示されているUE又はネットワークとすることが可能であり、マイクロプロセッサやASICのような処理手段200と、メモリユニット210と、通信インタフェースユニット220とを含む。メモリユニット210は、処理手段200がアクセスするプログラムコード214を格納することが可能な任意のデータストレージ装置である。メモリユニット210の具体例は、加入者識別モジュール(SIM)、リードオンリメモリ(ROM)、ランダムアクセスメモリ(RAM)、CD-ROM、磁気テープ、フロッピディスク及び光データストレージ装置等であるが、これらに限定されない。通信インタフェースユニット220は、処理手段200による処理の結果に従ってネットワークと無線通信する無線トランシーバであることが好ましい。
【００１９】
図3を参照するに、図2に示すプログラムコードが示されている。プログラムコード214は、複数の通信プロトコルレイヤに関するプログラムコードを有し、複数の通信プロトコルは、上位から下位に向かって、無線リソース制御(RRC)レイヤ300、パケットデータ収束(convergence)プロトコル(PDCP)レイヤ310、無線リンク制御(RLC)レイヤ320、媒体アクセス制御レイヤ(MAC)340、物理(PHY)レイヤ350である。物理レイヤ340は物理チャネルを処理し、物理チャネルは、例えば、物理ランダムアクセスチャネル(PRACH)、物理アップリンク制御チャネル(PUCCH)、物理アップリンク共有チャネル(PUSCH)、物理ダウンリンク制御チャネル(PDCCH)及び物理ダウンリンク共有チャネル(PDSCH)等である。
【００２０】
LTE-Aシステムはマルチメディアブロードキャストマルチキャストサービス(MBMS)を提供し、これは1つのソース端末が複数のUEへデータを同時に送信できるようにする。この場合において、本発明の実施例により提供されるプログラムコード214は、UE又はネットワークが、カウンティングレスポンスメッセージを適切に送信及び処理し、カウンティング処理(計数処理)を適切に実行し、無線リソースを経済的に使用できるようにする。
【００２１】
図4を参照するに、本発明の実施例によるプロセス40のフローチャートが示されている。プロセス40は無線通信システムのUEがカウンティングレスポンスメッセージを送信するために使用される。無線通信システムは無線通信システム10であってもよい。プロセス40はプログラムコード214にコンパイルされ、以下の処理ステップを含む。
【００２２】
ステップ400：開始。  
ステップ402：カウンティングリクエストメッセージをネットワークから受信する。  
ステップ404：無線通信システムにおけるUE及びネットワーク間のセキュリティ処理をアクティブにする。  
ステップ406：カウンティングレスポンスメッセージをネットワークに送信する。  
ステップ408：終了。
【００２３】
プロセス40によれば、UEは、カウンティングリクエストメッセージをネットワークから受信した後に、無線通信システムにおけるUE及びネットワーク間のセキュリティ処理をアクティブにし、UEは、カウンティングレスポンスメッセージをネットワークに送信する。この場合において、UEはカウンティングリクエストメッセージをネットワークからMCCHで受信し、カウンティングレスポンスメッセージをDCCHでネットワークに送信することができる。言い換えれば、UE及びネットワークの間でセキュリティ処理が実行された場合又はその後でなければ、UEはカウンティングレスポンスメッセージをネットワークに送信することができず、セキュリティ処理は、例えば、セキュリティモードコマンド(SecurityModeCommand)メッセージをネットワークから受信する或いはセキュリティモード完了(SecurityModeComplete)メッセージをネットワークに送信すること等である。この場合、UE及びネットワークの間でセキュリティ処理が行われ、悪意のUEによって混乱しないように、カウンティングレスポンスメッセージが特定のUEから送信されて来ることにネットワークが気づくまで、UEは待機する。その結果、本発明はカウンティング処理を適切に実行し、無線リソースを経済的に使用することができるようになる。
【００２４】
更に、UEは無線リソース制御(RRC)プロシジャの最中にカウンティングレスポンスメッセージをネットワークに送信せず、例えばRRCプロシジャは、RRCコネクションの確立(establishment)、RRCコネクションの再構築(reconfiguration)、及びRRCコネクションの再確立(re-establishment)等である。言い換えれば、RRCプロシジャを完了した後でしか、UEは、カウンティングレスポンスメッセージをネットワークに送信できない。この場合、ネットワークは、先ずRRCプロシジャの完了メッセージを受信し、その後にUEのステータスを確認し、ネットワークがカウンティングレスポンスメッセージを適切に処理できるようにする。その結果、本発明はカウンティング処理を適切に実行することができる。
【００２５】
図5を参照するに、本発明の実施例によるプロセス50のフローチャートが示されている。プロセス50は、無線通信システムにおけるネットワークがカウンティングレスポンスメッセージを処理するために使用される。無線通信システムは無線通信システム10でってもよい。プロセス50はプログラムコード214にコンパイルされ、以下の処理ステップを含む。
【００２６】
ステップ500：開始。  
ステップ502：無線通信システムにおけるUEからカウンティングレスポンスメッセージを受信する。  
ステップ504：そのUEに関してセキュリティ処理がアクティブでなかった場合、カウンティングレスポンスメッセージを無視する。  
ステップ506：終了。
【００２７】
プロセス50によれば、ネットワークは、無線通信システムにおけるUEからカウンティングレスポンスメッセージを受信し、ネットワークがそのUEに関してセキュリティ処理をアクティブにしていなかった場合、そのカウンティングレスポンスメッセージを無視する。すなわち、そのカウンティングレスポンスメッセージはセキュリティの認証処理を通過(パス)していないので、ネットワークはそのカウンティングレスポンスメッセージによるカウント(計数の寄与)をMBMSの計数に含めない。この場合、カウンティングレスポンスメッセージはセキュリティ処理により認証されている又は無視されるので、悪意のUEがカウンティングレスポンスメッセージを送信したことでネットワークを混乱させることはない。従って本発明はカウンティング処理を適切に実行し、無線リソースを経済的に使用することができる。
【００２８】
図6を参照するに、本発明の実施例によるプロセス60のフローチャートが示されている。プロセス60は無線通信システムのUEがカウンティングレスポンスメッセージを送信するために使用される。無線通信システムは無線通信システム10であってもよい。プロセス60はプログラムコード214にコンパイルされ、以下の処理ステップを含む。
【００２９】
ステップ600：開始。  
ステップ602：無線通信システムにおける第1の基地局から第1のカウンティングリクエストメッセージを受信する。  
ステップ604：無線通信システムにおける第2の基地局へのハンドオーバ又は再確立に起因して、第1のカウンティングレスポンスメッセージを第1の基地局に適切に送信できない(送信に失敗する)。  
ステップ606：第2の基地局から第2のカウンティングリクエストメッセージを受信した場合に、第2の基地局へ第2のカウンティングレスポンスメッセージを送信する。  
ステップ608：終了。
【００３０】
プロセス60によれば、UEは、無線通信システムにおける第1の基地局(例えば、LTEシステムのeNB)から第1のカウンティングリクエストメッセージを受信し、無線通信システムにおける第2の基地局へのハンドオーバ又は第2の基地局との再確立に起因して、第1のカウンティングレスポンスメッセージを第1の基地局に適切に送信できなった場合において、ハンドオーバ又は再確立の後に、UEは、第2の基地局から第2のカウンティングリクエストメッセージを受信すると、第2の基地局へ第2のカウンティングレスポンスメッセージを送信する。すなわち、UEは、第1の基地局のための第1のカウンティングレスポンスメッセージを自動的には(spontaneously)第2の基地局に送信せず、第2の基地局が、未知の第1のカウンティングレスポンスメッセージに起因して、不具合を起こす又は誤った処理(例えば、UEのRRCコネクションを解放してしまうこと等)を実行してしまうことを防ぐ。
【００３１】
留意すべきことに、第2の基地局が第1の基地局と同一であった場合(すなわち、イントラハンドオーバの場合)、第2の基地局はUEからのカウンティングレスポンスメッセージを認識できるので、UEは、第2の基地局に対するハンドオーバ又は第2の基地局との再確立の後に、第3のカウンティングレスポンスメッセージを第2の基地局に自動的に送信してもよい。ここで、第3のカウンティングレスポンスメッセージは第1のカウンティングレスポンスメッセージと同一であってもよい。このように本発明はカウンティング処理を適切に実行することができる。
【００３２】
提案方法をなす上記の処理はハードウェアの手段により実現されてもよいし、ハードウェア装置との組み合わせとしてのファームウェアとして実現されてもよいし、ハードウェア又は電子システムにおける読み取り専用のソフトウェアとして常駐するコンピュータ命令及びデータにより実現されてもよいことに留意を要する。ハードウェアの具体例は、アナログ回路、ディジタル回路又はそれらの混合回路(マイクロ回路、マイクロチップ又はシリコンチップとして知られている)を含む。電子システムの具体例は、システムオンチップ(SOC)、システムインパッケージ(Sip)、コンピュータオンモジュール(COM)及び通信装置20等を含み、それらの内部において処理手段200は、上記の処理に関するプログラムコード214を処理し、その処理結果により無線通信システム10におけるアップリンク通信を改善することができる。
【００３３】
従来は、UEがカウンティングレスポンスメッセージをネットワークに送信するタイミングは指定されていなかったので、カウンティング処理は適切に実行されない場合があり、或いは無線リソースが何らかの事情により経済的に使用されない場合があり、例えば、ネットワークがセキュリティ処理をアクティブにする前にUEがカウンティングレスポンスメッセージを送信する場合、UEがRRCプロシジャの最中にカウンティングレスポンスメッセージを送信する場合、或いはUEが第1のeNBからカウンティングリクエストメッセージを受信しているが、第2のeNBへのハンドオーバ又は第2のeNBとの再確立の後に第2のeNBにカウンティングレスポンスメッセージを送信する等の場合に不具合が生じるおそれがあった。
【００３４】
これに対して、本発明の実施例によれば、UE及びネットワークの間でセキュリティ処理が実行されている場合/その後に、UEはカウンティングレスポンスメッセージをネットワークに送信し、ネットワークがカウンティング処理を適切に実行し無線リソースを経済的に使用できるようにする。更に、RRCプロシジャの間、UEはカウンティングレスポンスメッセージをネットワークへ送信せず、ネットワークがカウンティング処理を適切に実行できるようにする。本発明の別の実施形態では、ネットワークがUEのセキュリティ処理をアクティブにしていなかった場合、ネットワークはカウンティングレスポンスメッセージを無視し、カウンティング処理を適切に実行し無線リソースを経済的に使用できるようにする。更に別の実施形態では、ハンドオーバ又は再確立の後、第2の基地局が第1の基地局と異なっていた場合、UEは第1の基地局に関する第1のカウンティングレスポンスメッセージを第2の基地局に自動的には送信しないこととする一方、第2の基地局が第1の基地局と同一であった場合、第3のカウンティングレスポンスメッセージ(すなわち、第1のカウンティングレスポンスメッセージと同じ)を第2の基地局へ自動的に送信し、計数処理を適切に実行できるようにする。
【００３５】
本発明の教示内容を保持しつつ上記の装置及び方法に関する多数の変形例及び代替例が可能であることは当業者にとって明らかであろう。従って本願発明は添付の特許請求の範囲によってしか規定されない。
【００３６】
本願は2010年10月18日付で出願された「Method  and  Apparatus  for  transmitting  CountingResponse  in  a  wireless  communication  system」と題する米国仮出願番号第61/393,948号に基づく優先的な利益を享受し、その出願の内容は本願のリファレンスに組み入れられる。
【符号の説明】
【００３７】
20  通信装置(eNB又はUE)
200  処理手段
210  ストレージユニット
214  プログラムコード
220  通信インタフェースユニット
【先行技術文献】
【非特許文献】
【００３８】
【非特許文献１】3GPP  TSG-RAN  WG2  Meeting  #71bis  R2-105975  "Stage-3  CR  for  MBMS  enhancement",  2010/10
【非特許文献２】3GPP  TS  36.300  v10.0.0,  3rd  Generation  Partnership  Project;  Technical  Specification  Group  Radio  Access  Network;  Evolved  Universal  Terrestrial  Radio  Access(E-UTRA)  and  Evolved  Universal  Terrestrial  Radio  Access  Network  (E-UTRAN);  Overall  description;  Stage  2(Release  10),  2010/06
【非特許文献３】3GPP  TS  36.331  v9.4.0,  3rd  Generation  Partnership  Project;  Technical  Specification  Group  Radio  Access  Network;  Evolved  Universal  Terrestrial  Radio  Access(E-UTRA);  Radio  Resource  Control  (RRC);  Protocol  specification(Release  9),  2010/09
【図１】
0005357947.tif 000002
【図２】
0005357947.tif 000003
【図３】
0005357947.tif 000004
【図４】
0005357947.tif 000005
【図５】
0005357947.tif 000006
【図６】
0005357947.tif 000007